(57)【特許請求の範囲】
【請求項１】
紙製の箱形容器の上部の幅方向の両端２箇所に紐を固定して紐の一箇所を吊して使用する吊り下げ用容器を吊す際に、前記紐に両端部を装着される変形防止板であって、
前記吊り下げ用容器の紐固定部間の長さと略等しい距離で離間した一対の紐挿通孔と、
前記紐挿通孔のそれぞれの上下に位置する両側縁に形成された紐係止切欠と、
を有することを特徴とする変形防止板。
【請求項２】
前記吊り下げ用容器と同様の紙製であり、前記一対の紐挿通孔と前記紐係止切欠とを備えた第１の変形防止板と、前記第１の変形防止板の上縁又は下縁に連なり前記第１の変形防止板との境界線を挟んで前記第１の変形防止板と上下対称の形状を成す第２の変形防止板と、を備え、
前記境界線で前記第２の変形防止板を前記第１の変形防止板の裏に折り重ねた２つ折りの構造で使用されることを特徴とする請求項１に記載の変形防止板。
【請求項３】
請求項１又は２に記載の変形防止板を備えたことを特徴とする吊り下げ用容器。
【発明の詳細な説明】
【技術分野】
【０００１】
本発明は、変形防止板及び吊り下げ用容器に関する。
【背景技術】
【０００２】
従来小売店の店頭で商品を販売する場合に、商品を表示、陳列するための吊り下げ型の容器が用いられている。図８は、下記特許文献１に開示された一般的な吊り下げ用容器を示したものである。
この吊り下げ用容器１００は、所謂ハンガーディスプレイと呼ばれている商品展示を行うもので、縦長の箱形に形成された紙製の容器本体１１０と、該容器本体１１０の上部に結び付けられた吊り下げ用の紐１２０と、で構成されている。
【０００３】
容器本体１１０の前面１１１には、商品１３０を収容する複数のポケット１１２が装備されている。
【０００４】
紐１２０は、その両端が、容器本体１１０の上部の幅方向の両端に装備された紐固定部１１４に結び付けられている。
【先行技術文献】
【特許文献】
【０００５】
【特許文献１】特開２００２−１８６５４５号公報
【発明の概要】
【発明が解決しようとする課題】
【０００６】
店頭で吊下げ用容器を使用する場合には、限られたスペースにより多くの商品を展示するためや、陳列棚の商品のより近くに関連商品を展示するため等の目的で、紐１２０をできるだけ短くして吊り下げることが要求される。
【０００７】
しかし、紐１２０を短くすると、それに伴い、フックに引っかけられた紐１２０の傾き角度θが小さくなる。この傾き角度θが小さくなると、紐１２０から紐固定部１１４に作用する容器の幅方向の圧縮荷重Ｐ１が大きくなり、容器本体１１０の変形を招くという問題が生じる。特に、吊下げ用容器に液体などの重量のある商品を陳列した場合にはこのような問題が生じやすい。
【０００８】
そのため、紐１２０を短くした場合に、圧縮荷重Ｐ１により容器本体１１０が変形しないように、容器本体１１０自体の強度を向上させることが考えられるが、容器本体１１０自体の強度を向上させると、容器本体１１０のコストアップを招くという問題が生じる。さらに、容器本体１１０自体も重くなるため、紐固定部１１４に作用する荷重が大きくなり、より一層の強度向上が必要になる。
【０００９】
そこで、本発明の目的は、上記課題を解消することに係り、吊り下げ用の紐を短くして吊り下げ用容器を吊り下げる場合でも、吊り下げ用容器の変形を招く幅方向の圧縮荷重が吊り下げ用容器に作用することを防止して、重量のある商品を陳列した場合であっても、吊り下げ用容器の変形を防止することができる変形防止板及び吊り下げ用容器を提供することにある。
【課題を解決するための手段】
【００１０】
本発明の前述した目的は、下記の構成により達成される。
（１）  紙製の箱形容器の上部の幅方向の両端２箇所に紐を固定して紐の一箇所を吊して使用する吊り下げ用容器を吊す際に、前記紐に両端部を装着される変形防止板であって、
前記吊り下げ用容器の紐固定部間の長さと略等しい距離で離間した一対の紐挿通孔と、
前記紐挿通孔のそれぞれの上下に位置する両側縁に形成された紐係止切欠と、
を有することを特徴とする変形防止板。
【００１１】
（２）  前記吊り下げ用容器と同様の紙製であり、前記一対の紐挿通孔と前記紐係止切欠とを備えた第１の変形防止板と、前記第１の変形防止板の上縁又は下縁に連なり前記第１の変形防止板との境界線を挟んで前記第１の変形防止板と上下対称の形状を成す第２の変形防止板と、を備え、
前記境界線で前記第２の変形防止板を前記第１の変形防止板の裏に折り重ねた２つ折りの構造で使用されることを特徴とする上記（１）に記載の変形防止板。
【００１２】
（３）  上記（１）又は（２）に記載の変形防止板を備えたことを特徴とする吊り下げ用容器。
【００１３】
上記（１）の構成によれば、吊り下げ用容器の上部に結び付けられている吊り下げ用の紐の途中部分を折り曲げて当該変形防止板上のそれぞれの紐挿通孔に挿通させ、それぞれの紐挿通孔から飛び出した輪状の部位に当該変形防止板の端部を潜らせて紐を紐係止切欠に係止させることで、当該変形防止板を吊り下げ用の紐に固定することができる。
【００１４】
また、紐を緩めて、紐係止切欠に係止させる紐の位置をずらすことで、吊り下げ用容器の吊り下げる高さ位置を簡単に微調整することができ、展示する吊り下げ用容器の高さ調整が容易になる。さらに、変形防止板を備えていない吊り下げ用容器にも後から装着することが可能であり、変形防止板だけを繰り返し使用することや陳列する商品の重量に合せて別の変形防止板を選択することが可能となる。
【００１５】
そして、吊り下げ用の紐に固定された変形防止板は、紐を吊り下げ用のフックに引っかけた状態では、フックと吊り下げ用容器との間に介在して、フックに引っかけられた紐の傾斜に関係なく、吊り下げ用容器の上部の幅方向の両端の紐固定部に結ばれている紐の延在方向を、略鉛直方向に延びた状態に整える。
【００１６】
即ち、当該変形防止板は、フックと吊り下げ用容器との間に介在して、紐の傾斜のために発生する容器の幅方向の圧縮荷重を受けて、吊り下げ用容器のそれぞれの紐固定部には略鉛直方向の荷重のみを作用させる。
【００１７】
従って、紐を短くして吊り下げ用容器を吊した場合でも、吊り下げ用容器の両端の紐固定部には、吊り下げ用容器の変形を招く幅方向の圧縮荷重が作用することを防止して、吊り下げ用容器の変形を防止することができる。
【００１８】
そして、当該変形防止板を使用することで、吊り下げ用容器自体の強度を向上させずとも、吊り下げる紐を短くした効果的な吊り下げ用容器による展示を実現することができる。
【００１９】
上記（２）の構成によれば、変形防止板が吊り下げ用容器と同様の紙製であるため、宣伝用のＰＯＰ等の印刷が容易にでき、宣伝用のＰＯＰ等の印刷を施すことで、吊り下げ用容器における広告機能を向上させることができる。そして、折り曲げ前の状態で印刷を施すことで、変形防止板の前後両面に広告機能を持たせることができる。
【００２０】
また、吊り下げ用容器と同様の紙製であるため、吊り下げ用容器と一緒に廃棄処分することができ、環境に優しい。
【００２１】
また、２つ折り構造は、強度アップによって変形を生じ難くすることができる一方、構造の繁雑化を抑え、また、最終形状への成形作業（二つ折り作業）の複雑化を抑えることができ、強度の向上とコストの低減とを両立させることができる。
【００２２】
上記（３）の構成によれば、フックにかける紐を短くした場合でも、紐から作用する幅方向への圧縮荷重は、変形防止板によって受けて、吊り下げ用容器には鉛直方向の荷重のみが作用するようにして、吊り下げ用容器の圧縮荷重による変形を防止することができる。従って、変形防止のために吊り下げ用容器自体の強度を向上させる必要がなく、安価に，吊り下げ用容器の変形を防止することができる。
【発明の効果】
【００２３】
本発明による変形防止板、及び吊り下げ用容器によれば、吊り下げ用の紐を短くして吊り下げ用容器を吊り下げる場合でも、吊り下げ用容器の変形を招く幅方向の圧縮荷重が吊り下げ用容器に作用することを防止して、重量のある商品を陳列した場合であっても、吊り下げ用容器の変形を防止することができる。
【００２４】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は本発明に係る変形防止板を備えた吊り下げ用容器の一実施形態の斜視図である。
【図２】図２は図１に示した吊り下げ用容器の展示状態の側面図である。
【図３】図３は図２に示した吊り下げ用容器の背面側から視た斜視図である。
【図４】図４は図１に示した変形防止板の展開図である。
【図５】図５は図４に示した変形防止板を二つ折りする途中の状態を示す斜視図である。
【図６】図６は吊り下げ用容器に結び付けられている吊り下げ用の紐に本実施形態の吊り下げ用容器を固定する工程の説明図である。
【図７】図７は本発明に係る変形防止板の他の実施形態の要部の拡大図である。
【図８】図８は従来の吊り下げ用容器の斜視図である。
【発明を実施するための形態】
【００２６】
以下、本発明に係る変形防止板、及び吊り下げ用容器の好適な実施形態について、図面を参照して詳細に説明する。
【００２７】
［一実施形態］
図１〜図３は、本発明に係る変形防止板を備えた吊り下げ用容器の一実施形態を示したもので、図１は本発明の一実施形態の吊り下げ用容器の斜視図、図２は図１に示した吊り下げ用容器の展示状態の側面図、図３は図２に示した吊り下げ用容器の背面側から視た斜視図である。
【００２８】
この一実施形態の吊り下げ用容器３０は、紙製の箱形容器で、底板３０１と、背面板３０２と、前面板３０３と、左右側板３０４，３０５とで上部を開放した箱形に形成されている。
【００２９】
底板３０１と、背面板３０２と、前面板３０３と、左右側板３０４，３０５とで囲う収容空間３１が、商品を収容する空間になっている。
【００３０】
前面板３０３には、収容する商品を取り出し易くするための切欠領域３２が形成されている。
【００３１】
また、図２及び図３に示すように、展示場所の壁面４１に対向する吊り下げ用容器３０の背面板３０２には、一対のイーゼル（姿勢保持板）３３が、切り起こしにより形成されている。一対のイーゼル３３は、図２に示すように、縁部３３１が壁面４１に当接して、吊り下げ用容器３０を後傾姿勢に保持する。
【００３２】
一対のイーゼル３３は、図３に示すように、背面板３０２から切り起こされた支持板３４との係合によって、背面板３０２から垂直に起こした状態に保持される。
【００３３】
本実施形態の吊り下げ用容器３０は、左右の側板３０４，３０５の上部に、紐固定部３５を備えている。本実施形態の場合、それぞれの紐固定部３５は、吊り下げ用容器３０を吊り下げる紐５０の両端を固定する孔になっている。
【００３４】
本実施形態の吊り下げ用容器３０は、両端が吊り下げ用容器３０に固定された吊り下げ用の紐５０に、変形防止板６０が取り付けられる。即ち、吊り下げ用容器３０は、以下に説明する変形防止板６０を備えている。
【００３５】
変形防止板６０は、両端が吊り下げ用容器３０に固定された紐５０を、図２に示すように、壁面４１上のフック（吊り下げ用金具）４２に吊す際に、紐に両端部を装着して使用される。
【００３６】
変形防止板６０は、図１に示すように、吊り下げ用容器３０の幅方向に離れた２箇所に装備された一対の紐挿通孔６１，６２と、上下側縁上で各紐挿通孔６１，６２の周辺の位置に形成された紐係止切欠６３，６４と、を備えている。
【００３７】
一対の紐挿通孔６１，６２は、吊り下げ用容器３０の紐固定部３５間の長さＬ１と略等しい距離Ｌ２で離間して設けられている。
【００３８】
紐係止切欠６３は、紐挿通孔６１の周辺に装備される切欠で、変形防止板６０の上下の側縁に、それぞれ装備されている。
【００３９】
紐係止切欠６４は、紐挿通孔６２の周辺に装備される切欠で、変形防止板６０の上下の側縁に、それぞれ装備されている。
【００４０】
本実施形態の変形防止板６０は、吊り下げ用容器３０と同様の紙製であり、図４に示した展開形状の紙製の母材板６００を、後述する境界線６０３で２つ折りに折り重ねることで、形成される。
【００４１】
母材板６００は、図４に示すように、第１の変形防止板６０１との第１の変形防止板６０１の下縁に連なる第２の変形防止板６０２と、を備えている。
【００４２】
母材板６００に使う紙は、ボール紙（厚紙）の裏面に段ボールを積層した構造で、段ボールの目が吊り下げ用容器３０の幅方向に沿っている。図４における一点鎖線の円内は、段ボールの目が幅方向に沿っていることを示している。なお、母材板６００の表面となるボール紙（厚紙）が、吊り下げ用容器３０を支えたときに紐５０から作用する荷重（幅方
向の圧縮荷重と、鉛直方向の引張荷重）に耐え得る十分な強度を持つ場合には、その裏面に積層する段ボールを省略した構造とすることができる。
【００４３】
第１の変形防止板６０１は、図４に示すように、幅方向（図４の矢印Ｘ３方向）に離間した一対の紐挿通孔６１，６２と、幅方向の両端の上下側縁に形成された紐係止切欠６３，６４とを備えている。
【００４４】
また、第２の変形防止板６０２は、一対の紐挿通孔６１，６２と、両端の上下側縁に形成された紐係止切欠６３，６４とを備えている。
【００４５】
第２の変形防止板６０２は、第１の変形防止板６０１の下縁に連なり、第１の変形防止板６０１との境界線６０３を挟んで、第１の変形防止板６０１と上下対称の形状を成している。
【００４６】
前述した第１の変形防止板６０１及び第２の変形防止板６０２において、幅方向の一端（図４では、右端）の上下側縁に形成された紐係止切欠６３は、紐挿通孔６１に挿通した紐５０を係止するものである。この紐係止切欠６３は、図４に示すように、紐挿通孔６１から幅方向外側に距離Ｌ４だけ離れた位置に形成されている。
【００４７】
また、前述した第１の変形防止板６０１及び第２の変形防止板６０２において、幅方向の他端（図４では、左端）の上下側縁に形成された紐係止切欠６４は、紐挿通孔６２に挿通した紐５０を係止するものである。この紐係止切欠６４は、図４に示すように、紐挿通孔６２から幅方向外側に距離Ｌ５だけ離れた位置に形成されている。
【００４８】
本実施形態の場合、Ｌ４＝Ｌ５に設定されている。
【００４９】
変形防止板６０は、図５に示すように、母材板６００を、境界線６０３で第２の変形防止板６０２を第１の変形防止板６０１の裏に折り重ねた２つ折りの構造に形成される。
【００５０】
２つ折りされて重なる第１の変形防止板６０１と第２の変形防止板６０２は、必要に応じて、両面粘着テープや接着剤で接着固定される。しかし、強度上又は取り扱い上で、接着の必要が無い場合には、第１の変形防止板６０１と第２の変形防止板６０２は、単純に折り重ねた状態で使用することができる。
【００５１】
本実施形態の場合、変形防止板６０を構成する第１の変形防止板６０１及び第２の変形防止板６０２は、二つ折りする前の展開状態（図４の状態）で、ＰＯＰ等の広告の文字や画像が、表面に印刷される。
【００５２】
そして、図５に示すように、母材板６００を二つ折りすると、表裏両面にＰＯＰ等の広告の文字や画像が印刷された変形防止板６０を得ることができる。
【００５３】
また、図１に示すように、変形防止板６０の幅寸法Ｗ１は、吊り下げ用容器３０の幅方向の内法寸法Ｗ２よりも小さく設定されている。
【００５４】
以上に説明した一実施形態の変形防止板６０は、吊り下げ用容器３０の上部に結び付けられている吊り下げ用の紐５０の途中部分を折り曲げて図６（ａ）に示すように当該変形防止板６０上のそれぞれの紐挿通孔６１，６２に挿通させ、次いで、図６（ｂ）に示すようにそれぞれの紐挿通孔６１，６２から飛び出した輪状の部位５０ａに当該変形防止板６０の端部６０ａを潜らせ、更に、図６（ｃ）に示すように当該変形防止板６０の端部６０ａを潜らせた輪状の部位５０ａを紐係止切欠６３，６４に係止させることで、当該変形防
止板６０を吊り下げ用の紐５０に固定することができる。
【００５５】
また、紐５０を緩めて、紐係止切欠６３，６４に係止させる紐５０の位置をずらすことで、吊り下げ用容器３０の吊り下げる高さ位置を簡単に微調整することができ、展示する吊り下げ用容器３０の高さ調整が容易になる。さらに、変形防止板６０を備えていない吊り下げ用容器３０にも後から装着することが可能であり、変形防止板６０だけを繰り返し使用することや陳列する商品の重量に合せて別の変形防止板６０を選択することが可能となる。
【００５６】
そして、吊り下げ用の紐５０に固定された変形防止板６０は、紐５０を吊り下げ用のフック４２に引っかけた状態では、図１及び図２に示すように、フック４２と吊り下げ用容器３０との間に介在して、フック４２に引っかけられた紐５０の傾斜に関係なく、吊り下げ用容器３０の上部の紐固定部３５に結ばれている紐５０の延在方向を、鉛直方向に近づく傾斜状態、好ましくは、略鉛直方向に延びた状態に整える。
【００５７】
即ち、変形防止板６０は、吊り下げ用容器３０の紐固定部３５に連結されている紐の傾斜を鉛直方向に近付ける。
【００５８】
これにより、当該変形防止板６０は、フック４２と吊り下げ用容器３０との間に介在して、図１に示すように、紐５０の傾斜のために発生する容器の幅方向の圧縮荷重Ｐ２を受けて、吊り下げ用容器３０のそれぞれの紐固定部３５には略鉛直方向の荷重Ｇ２のみを作用させる（実際には、図示のように、紐固定部３５に結ばれる紐５０が鉛直方向に対して若干傾斜しているため、側板３０４，３０５には、幅方向の内側に向かう若干の荷重（圧縮荷重）も作用する）。
【００５９】
従って、紐５０を短くして吊り下げ用容器３０を吊した場合でも、吊り下げ用容器３０の両端の紐固定部３５には、吊り下げ用容器３０の変形を招く幅方向の圧縮荷重が作用することを抑止して、吊り下げ用容器３０の変形を防止することができる。
【００６０】
そして、当該変形防止板６０を使用することで、吊り下げ用容器３０自体の強度を向上させずとも、吊り下げる紐５０を短くした効果的な吊り下げ用容器３０による展示を実現することができる。
【００６１】
また、一実施形態の変形防止板６０の場合、吊り下げ用容器３０と同様の紙製であるため、宣伝用のＰＯＰ等の印刷が容易にでき、宣伝用のＰＯＰ等の印刷を施すことで、吊り下げ用容器３０における広告機能を向上させることができる。そして、折り曲げ前の状態で印刷を施すことで、変形防止板６０の前後両面に広告機能を持たせることができる。
【００６２】
また、一実施形態の変形防止板６０の場合、吊り下げ用容器３０と同様の紙製であるため、吊り下げ用容器３０と一緒に廃棄処分することができ、環境に優しい。
【００６３】
また、一実施形態の変形防止板６０の２つ折り構造は、強度アップによって変形を生じ難くすることができる一方、構造の繁雑化を抑え、また、最終形状への成形作業（二つ折り作業）の複雑化を抑えることができ、強度の向上とコストの低減とを両立させることができる。
【００６４】
また、前述した一実施形態において、変形防止板６０を構成する第１の変形防止板６０１及び第２の変形防止板６０２は、二つ折りする前の展開状態で、表面への印刷が実施される。
【００６５】
そのため、第１の変形防止板６０１と第２の変形防止板６０２を二つ折りすることで、表裏両面に印刷が施された変形防止板６０を得ることができる。
【００６６】
また、前述した一実施形態において、変形防止板６０を構成する第１の変形防止板６０１及び第２の変形防止板６０２は、ボール紙の裏面に段ボールを積層した構造で、段ボールの目が吊り下げ用容器３０の幅方向に沿っている。
【００６７】
ボール紙の裏面に段ボールを積層した構造としたことで、ボール紙の強度を補強させることができ、更に、段ボールの目の方向を吊り下げ用容器３０の幅方向に沿わせたことで、幅方向への圧縮荷重Ｐ２（図１参照）に対する強度を効率良く向上させることができ、変形防止板６０の圧縮荷重Ｐ２による変形を防止することができる。
【００６８】
また、前述した一実施形態において、変形防止板６０の幅寸法Ｗ１は、図１に示すように、吊り下げ用容器３０の幅方向の内法寸法Ｗ２よりも小さく設定されている。
【００６９】
そのため、変形防止板６０は、吊り下げ用容器３０に収容することができ、変形防止板６０を対応する吊り下げ用容器３０内に収容した状態で商品出荷を行うことで、変形防止板６０と吊り下げ用容器３０との誤組み合わせ等の発生を防止することができる。
【００７０】
また、一実施形態の吊り下げ用容器３０は、前述の変形防止板６０を備えているため、フック４２にかける紐５０を短くした場合でも、紐５０から作用する幅方向への圧縮荷重は、変形防止板６０によって受けて、吊り下げ用容器３０には鉛直方向の荷重のみが作用するようにして、吊り下げ用容器３０の圧縮荷重による変形を防止することができる。
【００７１】
従って、変形防止のために吊り下げ用容器３０自体の強度を向上させる必要がなく、安価に、吊り下げ用容器３０の変形を防止することができる。
【００７２】
また、一実施形態の吊り下げ用容器３０は、図２に示したように、展示場所の壁面４１に対向する背面板３０２に、壁面４１に当接して吊り下げ用容器３０を後傾姿勢に保持するイーゼル（姿勢保持板）３３が切り起こしにより形成されている。
【００７３】
従って、フック４２に吊された吊り下げ用容器３０が後傾するため、吊り下げ用容器３０に収容した商品が落下し難く、商品の落下を抑止することができる。
【００７４】
また、吊り下げ用容器３０が後傾になることで、吊り下げ用容器３０に収容している商品が見やすくなり、吊り下げ用容器３０による展示性能を向上させることができる。
【００７５】
［他の実施形態］
図７は、本発明に係る変形防止板の他の実施形態の要部を示している。この他の実施形態の変形防止板６０Ａでは、また、紐５０を挿通する紐挿通孔６１（６２）よりも、幅方向の内側に距離Ｌ７だけ移動した位置に、紐５０を係止する紐係止切欠６３（６４）を設けている。
【００７６】
このように、紐係止切欠６３（６４）の位置は、紐挿通孔６１よりも幅方向の内側に設定しても、紐５０を係止することができる。
【００７７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７８】
例えば、前述した一実施形態の吊り下げ用容器３０は、収容する商品を取り出し易くするための切欠領域３２が前面板３０３に形成されていた。そこで、本実施形態の変形防止板６０は、切欠領域３２の形成のために前面板３０３から切り離された紙片から形成するようにしても良い。
【００７９】
具体的には、切欠領域３２の形成のために前面板３０３から切り離された紙片から、図４に示した変形防止板６０の展開形状を得るようにしても良い。又は、前面板３０３から切り離された紙片から、ミシン目によって、変形防止板６０が切り出されるようにしても良い。
このようにすると、廃棄する紙材を減らして、資源を節約することができる。
【００８０】
また、一実施形態に示した変形防止板６０は、一枚の母材を２つ折りして形成したが、変形防止板６０を構成する紙が十分な強度を有する場合には、２つ折りではなく、単純な一枚の紙で形成しても良い。また、２つ折りでも強度不足となるような場合には、一枚の母材を３つ折り以上の多重に折り重ねた構造とすることができる。
【００８１】
このように、変形防止板は、折り重ねる数量を調整することで、任意の強度を確保することができる。
【００８２】
また、一実施形態に示した変形防止板６０は、吊り下げ用容器３０の紐５０を係止するための紐挿通孔と紐係止切欠とを、幅方向の両端に、１組ずつ設けた。しかし、幅方向の両端の紐固定部の位置が異なる複数の吊り下げ用容器に対応するように、紐挿通孔と紐係止切欠とが、当該変形防止板の両端部において、幅方向に位置をずらした複数箇所に装備された構成としても良い。
【００８３】
このようにすると、一種類の変形防止板を、幅方向の両端の紐固定部の位置が異なる複数の吊り下げ用容器で共通使用することができ、変形防止板の汎用性を向上させて、コスト低減を図ることができる。
【００８４】
また、前述の一実施形態の吊り下げ用容器３０では、両側板３０４，３０５の上部に紐固定部３５を備えたが、紐固定部３５を背面板３０２の上部の幅方向の両端に装備するようにしても良い。
【００８５】
また、前述の一実施形態の吊り下げ用容器３０では、紐挿通孔６１，６２の離間距離は紐固定部３５間の距離と略等しい。しかし、吊り下げ用容器３０を吊り下げた際に、紐固定部３５間に吊り避け用容器３０が変形するような圧縮力又は引張力が作用しない範囲で、紐挿通孔６１，６２の離間距離を増減しても良い。
【符号の説明】
【００８６】
３０  吊り下げ用容器
３２  切欠領域
３３  イーゼル（姿勢保持板）
３５  紐固定部
５０  紐
６０  変形防止板
６１，６２  紐挿通孔
６３，６４  紐係止切欠
３０２  背面板
６０１  第１の変形防止板
６０２  第２の変形防止板
６０３  境界線
【図１】
0005913418.tif 000002
【図２】
0005913418.tif 000003
【図３】
0005913418.tif 000004
【図４】
0005913418.tif 000005
【図５】
0005913418.tif 000006
【図６】
0005913418.tif 000007
【図７】
0005913418.tif 000008
【図８】
0005913418.tif 000009